(57)【要約】      （修正有）【課題】良好なダニ捕獲性を有するダニ捕獲シートを提供する。【解決手段】ダニを誘引して捕獲するためのダニ捕獲シートであって、多孔質である第１のシート部材と、ダニを捕獲するための粘着層と、ダニを誘引するための誘引層６０と、多孔質である第２のシート部材とが順に積層された構造を備え、誘引層が、粉末状の高分子吸収材６４を保持するシート状のペーパー６２（保持基材）を含むことを特徴とする。【選択図】図４
2017131139.tif 000002
【特許請求の範囲】
【請求項１】
ダニを誘引して捕獲するためのダニ捕獲シートであって、
多孔質である第１のシート部材と、ダニを捕獲するための粘着層と、ダニを誘引するための誘引層と、多孔質である第２のシート部材とが順に積層された構造を備え、
前記誘引層が、粉末状の高分子吸収材を保持するシート状の保持基材を含むことを特徴とする、ダニ捕獲シート。
【請求項２】
前記高分子吸収材は、前記保持基材の内部に均一に含浸され且つ前記保持基材の表面に均一に固着されることにより、前記保持基材に保持される、請求項１に記載のダニ捕獲シート。
【請求項３】
前記誘引層は、前記保持基材を２枚含む、請求項１または２に記載のダニ捕獲シート。
【請求項４】
平面視略四角状に形成され、互いに相対する第１の両端辺と、前記第１の両端辺に直交した方向に延び、互いに相対する第２の両端辺とを備え、
前記第１の両端辺と前記第２の両端辺とのうちの少なくとも一方は、前記第１のシート部材と、前記第２のシート部材と、前記粘着層と、前記誘引層とが互いに溶着された構造を含む、請求項１〜３のいずれかに記載のダニ捕獲シート。
【請求項５】
前記粘着層は、無基材であり、両面に粘着剤を有する、請求項１〜４のいずれかに記載のダニ捕獲シート。
【請求項６】
前記第１のシート部材および前記第２のシート部材のそれぞれは、天然繊維を含む不織布で形成された外層と、合成繊維を含む不織布で形成された内層とを含む、請求項１〜５のいずれかに記載のダニ捕獲シート。
【発明の詳細な説明】
【技術分野】
【０００１】
この発明は、ダニ捕獲シートに関する。
【背景技術】
【０００２】
寝具類や絨毯などに多く生息するダニは、人やペットの肌を刺すことによって、痒みや腫れを生じさせたり感染症を媒介したりする。このようなダニを駆除する方法として、毒性を有する殺虫剤などで殺傷または忌避することが考えられる。しかしながら、ダニのフンや死骸はアレルギーの原因となるため、単に殺傷または忌避するのみでは十分でなく、死骸も残さずに駆除することが望まれる。このような要求に応じ得るダニ捕獲シートとして、例えば、特許文献１に記載されたダニ捕獲マットや、特許文献２に記載されたダニ捕獲器がある。
【０００３】
特許文献１に記載のダニ捕獲マットは、織物シートに含浸されたダニ誘引香料の香りにより、その配置部から離れた広範囲の領域からダニを誘引して集める。そして、ダニ捕獲マットに集まったダニは、多孔質通気性袋内のダニ食餌にも誘引され、多孔質通気性袋へ向かう途上ならびに食餌にありついて戻る途上で強い粘着力を有する両面粘着テープの粘着層に触れて捕捉される。
【０００４】
特許文献２に記載のダニ捕獲器は、第１の多孔質シートと、第２の多孔質シートと、第１の多孔質シートの層と第２の多孔質シートの層の間に挟まれた粘着誘引剤層とを有し、粘着誘引剤層に含有される誘引剤による誘引作用でダニを集め、第１の多孔質シートまたは第２の多孔質シートから侵入してきたダニを、粘着誘引剤層の粘着力で絡め取って捕獲する。
【先行技術文献】
【特許文献】
【０００５】
【特許文献１】特開２００６−３４０６０６号公報
【特許文献２】特開２０１４−１６８４４３号公報
【発明の概要】
【発明が解決しようとする課題】
【０００６】
特許文献１のダニ捕獲マットは、織物シートに含浸されたダニ誘引香料の香りによりダニを誘引する。また、特許文献２のダニ捕獲器は、粘着誘引剤層に含有される誘引剤によりダニを集める。しかしながら、特許文献１および２ともに、十分な数のダニを誘引することができないため、ダニ捕獲性が良好でないという問題があった。
【０００７】
それゆえに、この発明の主たる目的は、良好なダニ捕獲性を有するダニ捕獲シートを提供することである。
【課題を解決するための手段】
【０００８】
この発明に係るダニ捕獲シートは、ダニを誘引して捕獲するためのダニ捕獲シートであって、多孔質である第１のシート部材と、ダニを捕獲するための粘着層と、ダニを誘引するための誘引層と、多孔質である第２のシート部材とが順に積層された構造を備え、誘引層が、粉末状の高分子吸収材を保持するシート状の保持基材を含むことを特徴とする。
好ましくは、高分子吸収材は、前記保持基材の内部に均一に含浸され且つ前記保持基材の表面に均一に固着されることにより、前記保持基材に保持される。
好ましくは、前記誘引層は、前記保持基材を２枚含む。
好ましくは、平面視略四角状に形成され、互いに相対する第１の両端辺と、第１の両端辺に直交した方向に延び、互いに相対する第２の両端辺とを備え、第１の両端辺と第２の両端辺とのうちの少なくとも一方は、第１のシート部材と、第２のシート部材と、粘着層と、誘引層とが互いに溶着された構造を含む。
好ましくは、粘着層は、無基材であり、両面に粘着剤を有する。
好ましくは、第１のシート部材および第２のシート部材のそれぞれは、天然繊維を含む不織布で形成された外層と、合成繊維を含む不織布で形成された内層とを含む。
【０００９】
この発明に係るダニ捕獲シートが備える誘引層は、粉末状の高分子吸収材を保持するシート状の保持基材を備える。これにより、ダニ捕獲シートおよびその周囲の空気環境（湿度など）がダニの好む状態になる。その結果、ダニ捕獲シートは、十分な数のダニを誘引することができるため、良好なダニ捕獲性を有する。
【発明の効果】
【００１０】
この発明によれば、良好なダニ捕獲性を有するダニ捕獲シートを提供し得る。
【００１１】
この発明の上述の目的、その他の目的、特徴および利点は、図面を参照して行う以下の発明を実施するための形態の説明から一層明らかとなろう。
【図面の簡単な説明】
【００１２】
【図１】この発明の一実施の形態に係るダニ捕獲シートを示す斜視図である。
【図２】この発明の一実施の形態に係るダニ捕獲シートを示す図１のＩＩ−ＩＩ断面図である。
【図３】この発明の一実施の形態に係るダニ捕獲シートを示す図１のＩＩＩ−ＩＩＩ断面図である。
【図４】この発明の一実施の形態に係るダニ捕獲シートが備える誘引層の厚さ方向に沿った断面の拡大図である。
【図５】この発明の一実施の形態に係るダニ捕獲シートが備えるシート部材の内層と両面粘着層との接合面を示す拡大図である。
【発明を実施するための形態】
【００１３】
＜全体的な構成について＞
以下、この発明の一実施の形態に係るダニ捕獲シートについて、図面を参照しながら説明する。図１は、この実施の形態に係るダニ捕獲シートを示す斜視図である。この実施の形態に係るダニ捕獲シート１０は、第１のシート部材２０ａと、両面粘着層４０と、誘引層６０と、第２のシート部材２０ｂとが順に積層された構造である。ダニ捕獲シート１０は、平面視略四角形状に形成される。したがって、ダニ捕獲シート１０は、左端辺と右端辺（第１の両端辺）が対向し、且つ上端辺と下端辺（第２の両端辺）が対向する。そして、ダニ捕獲シート１０は、左端辺に第１の接合部２１０ａ、右端辺に第１の接合部２１０ｂを有する。また、ダニ捕獲シート１０は、上端辺に第２の接合部２２０ａ、下端辺に第２の接合部２２０ｂを有する。左端辺および右端辺の第１の接合部２１０ａ，２１０ｂと、上端辺および下端辺の第２の接合部２２０ａ，２２０ｂとは、次に述べるように異なる態様で形成される。
【００１４】
図２は、この実施の形態に係るダニ捕獲シートを示す図１のＩＩ−ＩＩ断面図である。図２に示すように、第１の接合部２１０ａ，２１０ｂのそれぞれは、第１のシート部材２０ａと、第２のシート部材２０ｂとが互いに接合された２層構造である。したがって、図２の断面図において、両面粘着層４０および誘引層６０は、第１のシート部材２０ａと第２のシート部材２０ｂとに内包された態様である。
【００１５】
図３は、この実施の形態に係るダニ捕獲シートを示す図１のＩＩＩ−ＩＩＩ断面図である。図３に示すように、第２の接合部２２０ａ，２２０ｂのそれぞれは、第１のシート部材２０ａと、両面粘着層４０と、誘引層６０と、第２のシート部材２０ｂとが互いに接合された４層構造である。したがって、図３の断面図において、両面粘着層４０および誘引層６０は、第１のシート部材２０ａと第２のシート部材２０ｂとの間に層状に挟まれた態様である。
【００１６】
第１の接合部２１０ａ，２１０ｂ、および第２の接合部２２０ａ，２２０ｂのそれぞれにおける熱溶着は、ヒーターを用いた熱板を押しつける熱板溶着によって行うことが好ましい。なお、超音波溶着などの他の溶着方法を用いてもよい。
【００１７】
＜第１および第２のシート部材２０ａ，２０ｂについて＞
第１および第２のシート部材２０ａ，２０ｂは、両面粘着層４０および誘引層６０を層状に挟みこんで保持するととともに、ダニをその内部に引き込むために設けられる。なお、第１および第２のシート部材２０ａ，２０ｂのそれぞれは、互いに同様の構造を有する。
【００１８】
第１および第２のシート部材２０ａ，２０ｂは、外層２２ａ，２２ｂおよび内層３２ａ，３２ｂからなる２層構造である。第１のシート部材２０ａの内層３２ａと、第２のシート部材２０ｂの内層３２ｂとが、両面粘着層４０および誘引層６０を間に挟んだ状態で、互いに対向して配設される。外層２２ａ，２２ｂおよび内層３２ａ，３２ｂは、ともに多孔質な不織布で形成される。外層２２ａ，２２ｂは、天然繊維を含む不織布で形成されることが好ましい。天然繊維としては、綿繊維を用いることが好ましい。また、内層３２ａ，３２ｂは、合成繊維を含む不織布で形成されることが好ましい。合成繊維としては、ポリプロピレンおよびポリエチレンを用いることが好ましい。なお、内層３２ａ，３２ｂは、合成繊維として、ポリプロピレン、ポリエチレンのどちらか一方のみを用いてもよい。また、外層２２ａ，２２ｂが内層３２ａ，３２ｂと同様の合成繊維を含んでもよい。
【００１９】
ダニは、小さい孔に入り込む習性を持つため、第１および第２のシート部材２０ａ，２０ｂ（外層２２ａ，２２ｂおよび内層３２ａ，３２ｂ）が多孔質な不織布で形成されることにより、ダニ捕獲シート１０の内部に多くのダニを引き込むことができる。
【００２０】
なお、外層２２ａ，２２ｂの天然繊維にテンセル（登録商標）などのセルロース繊維を交絡させてもよい。これにより、コストの低減を図ることができる。また、内層３２ａ，３２ｂの合成樹脂にセルロース繊維を交絡させてもよい。これにより、内層３２ａ，３２ｂの肌触りが良好になるため、ダニ捕獲シート１０の内部により多くのダニを引き込むことができる。このような場合、内層３２ａ，３２ｂは、ポリプロピレンおよびポリエチレンの含有率が約９７％、セルロースの含有率が約３％であることが好ましい。
【００２１】
＜両面粘着層４０について＞
両面粘着層４０は、ダニ捕獲シート１０の内部に入り込んだダニを、その表面に粘着させて捕獲するために設けられる。両面粘着層４０は、粘着剤を有することにより、その両面に十分な粘着力を有する。なお、ここでいう十分な粘着力とは、ヤケヒョウダニなどのダニをその表面に粘着させて捕獲することができる程度の粘着力のことをいう。また、両面粘着層４０は、無基材である。
【００２２】
両面粘着層４０に用いる粘着剤は、例えば、チューインガム用の食品基材として用いられるポリブテンと改質剤との混合物、またはアクリル系粘着剤など、人間にとって無害であり、且つ十分に少ない臭いのものを用いることが好ましい。
【００２３】
図５は、第１のシート部材の内層と両面粘着層との接合面を示す拡大図である。第１のシート部材２０ａの内層３２ａには、両面粘着層４０の一方の面が重ね合わされる。ここで、第１のシート部材２０ａは、例えば、高圧水流で繊維を交絡させるスパンレース法などを用いて形成されることにより、その内層３２ａの表面を粗く形成することができる。このように内層３２ａの表面を粗く形成し、そこに両面粘着層４０を重ね合わせることで、内層３２ａは、その両面粘着層４０側に突出した端部のみが、両面粘着層４０に当接する。すなわち、両面粘着層４０の表面のうち、第１のシート部材２０ａが貼り付いていない部分の面積が大きくなる。さらに、両面粘着層４０の上方に多くの空間が形成される。これらにより、第１のシート部材２０ａの内層３２ａまで引き込んだダニを両面粘着層４０によって捕獲しやすくなる。
【００２４】
＜誘引層６０について＞
誘引層６０は、ダニを誘引するために設けられる。図４は、この発明の一実施の形態に係るダニ捕獲シートが備える誘引層の厚さ方向に沿った断面の拡大図である。誘引層６０は、パルプなどを含むシート状のペーパー６２（保持基材）を２枚有する。２枚のペーパー６２それぞれは、粉末状の高分子吸収材６４を保持する。高分子吸収材６４は、自重に対する吸水倍率が高いとともに吸水速度が速く、高い水分保持性を有することを特徴とした化学製品である。
【００２５】
一粒の高分子吸収材６４それぞれは、その全体がペーパー６２の内部に含浸されてもよいし、その一部がペーパー６２の内部に含浸され且つ他の部分がペーパー６２の表面に露出されてもよいし、その全体がペーパー６２の表面に露出（すなわち、ペーパー６２の表面に固着）されてもよい。なお、粉末状の高分子吸収材６４は、図４に示すように、ペーパー６２の内部に均一に含浸され且つペーパー６２の表面に均一に固着されることにより、ペーパー６２に保持されることが好ましい。また、高分子吸収材６４は、例えば、アクリル酸重合体部分ナトリウム塩架橋物を８５％以上、二酸化珪素を０．５％以下、水を１０％以下の割合で含有することが好ましい。
【００２６】
＜寸法について＞
ダニ捕獲シート１０の寸法は、例えば、３０ｃｍ×３０ｃｍ×０．５ｃｍである。また、構成要素それぞれの寸法は、例えば、第１のシート部材２０ａ（および第２のシート部材２０ｂ）が３０ｃｍ×３０ｃｍ、両面粘着層４０が２９ｃｍ×２６ｃｍ、誘引層６０が２９ｃｍ×２６ｃｍである。また、第１の接合部２１０ａ，２１０ｂ、第２の接合部２２０ａ，２２０ｂのそれぞれの幅寸法は、例えば、１０ｍｍである。
【００２７】
＜効果について＞
この実施の形態に係るダニ捕獲シート１０が備える誘引層６０は、粉末状の高分子吸収材６４を保持するシート状のペーパー６２（保持基材）を備えるため、十分な数のダニを誘引することができる。これは、ペーパー６２に保持された高分子吸収材６４によって、ダニ捕獲シート１０およびその周囲の空気環境（温度および湿度など）がダニの好むものになるためであると考えられる。その結果、この実施の形態に係るダニ捕獲シート１０は、良好なダニ捕獲性を有する。
【００２８】
なお、粉末状の高分子吸収材６４は、２枚のペーパー６２を一体化するためのバインダーとしても作用する。
【００２９】
また、この実施の形態に係るダニ捕獲シート１０は、第２の接合部２２０ａ，２２０ｂのそれぞれが、第１のシート部材２０ａと、両面粘着層４０と、誘引層６０と、第２のシート部材２０ｂとが互いに接合された４層構造である。したがって、ダニ捕獲シート１０は、重ね合わせた４層の部材を熱溶着などによりまとめて接合することにより形成することができるため、製造が容易となる。
【００３０】
また、この実施の形態に係るダニ捕獲シート１０が備える両面粘着層４０は、無基材であり、両面に粘着剤を有する。両面粘着層４０を無基材とすることにより、ダニ捕獲シート１０の厚みを薄くすることができる。また、両面に粘着剤を有することにより、ダニを粘着するための面積が広くなるため、ダニ捕獲性がより向上する。
【００３１】
また、この実施の形態に係るダニ捕獲シート１０が備える第１のシート部材２０ａおよび第２のシート部材２０ｂは、外層２２ａ，２２ｂが天然繊維を含む不織布で形成されることにより、肌触りが良好になる。したがって、ダニ捕獲シート１０の内部により多くのダニを引き込むことができる。また、内層３２ａ，３２ｂが合成繊維を含む不織布で形成されることにより、第１のシート部材２０ａと、第２のシート部材２０ｂとを互いに熱などによって溶着することが可能となる。
【００３２】
＜他の態様について＞
なお、上述した実施の形態では、粉末状の高分子吸収材６４が、ペーパー６２の内部に均一に含浸され且つペーパー６２の表面に均一に固着されることにより、ペーパー６２に保持される場合について説明したが、この場合に限定されない。例えば、粉末状の高分子吸収材６４は、ペーパー６２の内部に含浸されることのみによりペーパー６２に保持され、ペーパー６２の表面に固着されなくてもよいし、またはペーパー６２の表面に固着されることのみによりペーパー６２に保持され、ペーパー６２の内部に含浸されなくてもよい。
【００３３】
また、上述した実施の形態では、保持基材がパルプなどを含むペーパー６２である場合について説明したが、この場合に限定されず、高分子吸収体６４を保持することができる他のシート状の基材（例えば、綿繊維など）であってもよい。
【００３４】
また、ペーパー６２の表面には、ダニを誘引するための混合物が付着されてもよい。
【００３５】
また、上述した実施の形態では、第１および第２のシート部材２０ａ，２０ｂのそれぞれが、外層２２ａ，２２ｂおよび内層３２ａ，３２ｂを有する２層構造である場合について説明した。しかしながら、この場合に限られず、第１および第２のシート部材２０ａ，２０ｂは、ダニが入り込めるように多孔質であり、且つ熱などによって互いに溶着できる構造であれば、他の構造であってもよい。例えば、第１および第２のシート部材２０ａ，２０ｂのそれぞれは、内層３２ａ，３２ｂのみからなる１層構造であってもよい。また、第１および第２のシート部材２０ａ，２０ｂは、互いに異なる構造であってもよい。例えば、第１のシート部材２０ａが外層２２ａおよび内層３２ａからなる２層構造であり、且つ第２のシート部材２０ｂが内層３２ｂのみからなる１層構造であってもよい。あるいはこの逆であってもよい。すなわち、第１のシート部材２０ａが内層３２ａのみからなる１層構造であり、且つ第２のシート部材２０ｂが外層２２ｂおよび内層３２ｂからなる２層構造であってもよい。
【００３６】
また、上述した実施の形態では、第１の接合部２１０ａ，２１０ｂのそれぞれが、第１のシート部材２０ａと、第２のシート部材２０ｂとが互いに接合された２層構造である場合について説明した。しかしながら、この場合に限られず、第１の接合部２１０ａ，２１０ｂのそれぞれが、第２の接合部２２０ａ，２２０ｂのそれぞれと同様に、第１のシート部材２０ａと、両面粘着層４０と、誘引層６０と、第２のシート部材２０ｂとが互いに接合された４層構造であってもよい。これにより、製造がより容易となる。
【００３７】
また、上述した実施の形態では、両面粘着層４０は無基材である場合について説明した。しかしながら、この場合に限られず、両面粘着層４０は、シート状の基材を有してもよい。このような場合、両面粘着層４０は、シート状の基材の両面に粘着層を有してもよい。
【００３８】
＜実験例１〜３について＞
以下、この発明の効果を確認するために発明者らが行った実験例１〜３について説明する。
【００３９】
（実験例１）
実施例１は、上述した一実施の形態に係る高分子吸収材を含む誘引層の効果を確認するために行った。実験例１では、以下に示す試料１−１、試料１−２をそれぞれ準備し、これらをダニの捕獲個体数により評価した。
【００４０】
試料１−１は、上記した一実施の形態に係るダニ捕獲シートである。なお、試料１−１（ダニ捕獲シート）の誘引層は、次の手順により作製した。まず、パルプを含むシート状のペーパーと、粉末状の高分子吸収材とを準備した。なお、高分子吸収材は、アクリル酸重合体部分ナトリウム塩架橋物を８５％以上、二酸化珪素を０．５％以下、水を１０％以下の割合で含有したものを準備した。次に、高分子吸収材をペーパーの表面に均一に散布した。さらに、前述したペーパーを厚さ方向に熱を加えながら押し型により押圧した。このようにして、粉末状の高分子吸収材が表面に固着され且つ内部に含浸された１枚のペーパーを作製した。そして、同様の手順により、同じペーパーをさらにもう１枚作製した。最後に、前述した２枚のペーパーを厚さ方向に重ね合わせることにより、誘引層を作製した。
【００４１】
試料１−２は、試料１−１の誘引層６０の代わりとして、誘引剤を混ぜ込んだペーパーを有し、これを不織布に封入した構造である。
【００４２】
実験方法は下記の通りである。
４０ｃｍ×４０ｃｍの未加工カーペット（インテリアファブリスク性能評価協議会指定品）を５ｃｍ×５ｃｍの６４区画に分け、区画それぞれの中央にヤケヒョウダニ（雌の成ダニ）５０個体を植え付けた。
このカーペットを６０ｃｍ×８０ｃｍの段ボール板の表面に置き、常時換気した暗室に１６〜２４時間静置した。
その後、カーペットの下面の略中央に、試料を敷き込み、常時換気した暗室（平均温度約１８．５℃，平均湿度約６９．５％ＲＨ）に５日間静置した。
その後、試料を取り出し、試料それぞれに存在するダニの個体数を検査した。実験結果は、表１に示す通りである。なお、表中の「＊」は、その試料がこの発明に係るダニ捕獲シートの範囲外であることを意味する。
【００４３】
【表１】
2017131139.tif 000003
【００４４】
表１に示すように、試料１−１に存在するダニは、２６５１個体であった。また、試料１−２に存在するダニは、合計１１９個体であった。すなわち、この発明の一実施の形態に係るダニ捕獲シート１０としての試料１−１は、比較例としての試料１−２に比べて多くのダニを捕獲できることが確認できた。
【００４５】
（実験例２）
実験例２は、上述した一実施の形態に係るダニ捕獲シートが備える高分子吸収材を含む誘引層の効果を確認するために実験例１とは異なる方法により行った。この実験例２では、以下に示す試料２−１、試料２−２を準備し、これらを誘引されたダニの個体数により評価した。
【００４６】
試料２−１は、上記した一実施の形態に係るダニ捕獲シートが備える誘引層のみにより構成される試料である。試料２−１は、上記した試料１−１が備える誘引層６０と同様の構造であるため、ここではその説明を繰り返さない。
【００４７】
試料２−２は、天然繊維である綿繊維のみからなる試料である。
【００４８】
実験方法は、ＪＩＳ規格「ＪＩＳ  Ｌ  １９２０繊維製品の防ダニ性試験方法」に概ね基づいて行った。具体的には下記の通りである。
シャーレ（大）にダニ培地（１０，０００匹相当分）を均一にばらまいた。前述したシャーレ（大）の中央にシャーレ（小）を重ねて載置した。そして、前述したシャーレ（小）に試料を載置した。これを平均温度約１７℃、平均湿度約６５．２％ＲＨ、暗条件で静置した。２４時間後、シャーレ（小）内に侵入したダニ個体数を検査した。なお、試料２−１、２−２それぞれについて３回試験を行い、その平均値を算出した。実験結果は、表２に示す通りである。なお、表中の「＊」は、その試料がこの発明に係るダニ捕獲シートの範囲外であることを意味する。
【００４９】
【表２】
2017131139.tif 000004
【００５０】
表２に示すように、試料２−１に存在するダニは、平均１８８１．０個体であった。また、試料２−２に存在するダニは、平均６２３．３個体であった。すなわち、この発明の一実施の形態に係るダニ捕獲シート１０が備える高分子吸収材を含む誘引層６０としての試料２−１は、比較例としての試料２−２に比べて多くのダニを誘引できることが確認できた。
【００５１】
（実験例３）
実験例３は、上述した一実施の形態に係る高分子吸収材を含む誘引層の効果を確認するために実験例１および実験例２とは別の方法により行った。実験例３では、以下に示す試料３−１、試料３−２をそれぞれ準備し、これらを誘引されたダニの個体数により評価した。
【００５２】
試料３−１は、上記した一実施の形態に係るダニ捕獲シート１０が備える誘引層６０のみにより構成される試料である。試料３−１は、上記した試料１−１が備える誘引層６０、および試料２−１と同様の構造であるため、ここではその説明を繰り返さない。
【００５３】
試料３−２は、上記した試料２−２と同様であり、天然繊維である綿繊維のみからなる試料である。
【００５４】
実験方法は、下記の通りである。
試料（４ｃｍ×４ｃｍ）をダニの放虫箇所（約２００００個体）から３０ｃｍ離間させて載置する。なお、這い出し防止用粘着テープを載置面に貼り付け、試料および放虫箇所を含む一定の広さの領域からダニが這い出さないようにした。実験は、常時換気の暗室内（平均温度約２１．２℃、平均湿度約６８．０％ＲＨ）で行った。各試料におけるダニの捕獲個体数により、これらを評価した。なお、試料３−１、試料３−２それぞれについて３回試験を行い、その平均値を算出した。実験結果は、表３に示す通りである。なお、表中の「＊」は、その試料がこの発明に係るダニ捕獲シートの範囲外であることを意味する。
【００５５】
【表３】
2017131139.tif 000005
【００５６】
表３に示すように、試料３−１に存在するダニは、平均１７１７．７個体であった。また、試料３−２に存在するダニは、平均２６６．０個体であった。すなわち、この発明の一実施の形態に係るダニ捕獲シート１０が備える高分子吸収材を含む誘引層６０としての試料３−１は、比較例としての試料３−２に比べて多くのダニを誘引できることが確認できた。
【００５７】
以上、実験例１〜３の結果により、この発明の一実施の形態に係るダニ捕獲シートの効果を確認することができた。
【００５８】
＜実験例４について＞
最後に、この発明の一実施の形態に係るダニ捕獲シートが備える両面粘着層が有する効果を確認するために発明者らが行った実験例４について説明する。この実験例４では、以下に示す試料４−１、および試料４−２を準備し、雄の成ダニおよび雌の成ダニのグループに分け、各試料におけるダニの捕獲個体数により、これらを評価した。
【００５９】
試料４−１は、上記したこの発明の一実施の形態に係るダニ捕獲シートが備える両面粘着層である。すなわち、試料４−１は、無基材であり、十分に臭いが少なく、その両面に粘着剤を有する。
【００６０】
試料４−２は、比較例であり、溶剤の臭いを発し、基材を有する粘着テープである。具体的には、試料４−２は、不織布を基材としてその両面に粘着剤を塗布した構造である。粘着剤は、上記した試料４−１に比べて約２倍の量を塗布する。試料４−２は、乾燥処理のとき揮発せずに残存するトルエン、酢酸エチルなどを含むため、溶剤の臭いを発する。
【００６１】
実験方法は、次の通りである。直径６ｍｍの濾紙を試料４−１、試料４−２それぞれに貼り、濾紙の表面に供試ダニ１０個体を載置し、３日間放置した後、試料４−１、試料４−２それぞれからの這い出しを観察した。供試ダニはヤケヒョウダニを用い、雄の成ダニ１０個体および雌の成ダニ１０個体を載置した。試験回数はそれぞれ３回とした。濾紙の端に存在するダニ、濾紙から０ｍｍ以上５ｍｍ未満の領域に存在するダニ、濾紙から５ｍｍ以上１０ｍｍ未満の領域に存在するダニ、濾紙から１０ｍｍ以上１５ｍｍ未満の領域に存在するダニ、濾紙から１５ｍｍ以上の領域に存在するダニを確認し、試料４−１、試料４−２それぞれからのダニの這い出しを確認した。なお、濾紙の端に付着した個体を乗り越えたと思われる個体については「濾紙の端」と判断した。試料４−１、試料４−２それぞれについて雄の成ダニおよび雌の成ダニそれぞれ３回試験を行った。試験結果を表４に示す。なお、表中の「＊」は、その試料がこの発明に係るダニ捕獲シートの範囲外であることを意味する。
【００６２】
【表４】
2017131139.tif 000006
【００６３】
表４に示すように、試料４−１から這い出したダニは、雄の成ダニに関して３回目の試験の２個体（０ｍｍ以上５ｍｍ未満２個体）のみであり、雌の成ダニに関しては這い出したダニが存在しなかった。
【００６４】
試料４−２から這い出したダニは、雄の成ダニに関して存在しなかったが、雌の成ダニに関する２回目の試験で２個体（１０ｍｍ以上１５ｍｍ以上２個体）、３回目の試験で９個体（０ｍｍ以上５ｍｍ未満３個体、５ｍｍ以上１０ｍｍ未満２個体、１０ｍｍ以上１５ｍｍ未満１個体、１５ｍｍ以上３個体）であった。
【００６５】
すなわち、試料４−１は、試料４−２に比べて、這い出したダニの個体数が少なかった。この実験例４の結果により、この発明の一実施の形態に係るダニ捕獲シートが備える両面粘着層の効果を確認することができた。
【００６６】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【００６７】
１０  ダニ捕獲シート
２０ａ  第１のシート部材
２０ｂ  第２のシート部材
２２ａ，２２ｂ  外層
３２ａ，３２ｂ  内層
４０  両面粘着層
６０  誘引層
６２  ペーパー
６４  高分子吸収材
２１０ａ，２１０ｂ  第１の接合部
２２０ａ，２２０ｂ  第２の接合部
【図１】
2017131139.tif 000007
【図２】
2017131139.tif 000008
【図３】
2017131139.tif 000009
【図４】
2017131139.tif 000010
【図５】
2017131139.tif 000011